(57)【要約】【課題】従来のロールスクリーンは、窓を全遮蔽（スクリーン全展開状態）もしくはそれに近い状態で、ほぼ完全に遮光して、屋内灯を点灯することで、プライバシー保護と屋内照明とを両立させていた。しかしわざわざ採光を遮り屋内灯に依存するのは、甚だ不経済である。【解決手段】液晶調光フィルムを、巻き上げ収納及び垂下展開できる、ロールスクリーンとして構成し、提供する。これにより、電圧駆動によって、必要に応じて、スクリーン全体の光透過制御できるので、採光による屋内照明とプライバー確保が両立でき、健康上も好ましい。【選択図】図３
2018159256.tif 000002
【特許請求の範囲】
【請求項１】
透明電極を内側に備えた一対の透明プラスチックフィルムに、高分子相に液晶相が分散した調光層が挟まれ、電圧駆動して、光の透過率を制御できる機能を備えた液晶フィルムであり、垂下及び巻き上げ収納が容易な電子ロールカーテン。
【請求項２】
前記スクリーンのロールパイプ内の電極からコネクターの間の配線コードに、ロータリージョイントが接続され、スクリーンの垂下展開及び巻き上げ時に、配線コードがねじれるのを防止した、請求項１に記載の電子ロールスクリーン。
【請求項３】
前記スクリーンのロールパイプ内に、連結用コネクターが取り付けられ、それを用いて、数基のロールスクリーンを並列連結して、同時に駆動可能な、請求項２に記載の電子ロールスクリーン。
【請求項４】
前記スクリーンの垂下展開及び巻き上げ方法は、プルコード式、チェーン式または、すだれ方式である、請求項２または３に記載の電子ロールスクリーン。
【発明の詳細な説明】
【技術分野】
【０００１】  本発明は、必要に応じて、スクリーン全体の光透過制御を可能とした、巻き上げ収納できる液晶調光フィルムのロールスクリーンに関するものである。
【背景技術】
【０００２】  液晶を用いた光学表示素子の技術発展に伴い、従来のＴＮ、ＳＴＮ、ＴＦＴ液晶セルと異なり、偏光板やバックライトを用いないので、表示が明るく、製造工程上も簡便で、電気信号のより、光散乱と透過を制御した液晶調光素子が、すでにいくつか提案されている。【０００３】このような液晶パネルとしては様々なものが提案されており、例えば、ケント大学（特表昭６１−５０２１２８号及び特表昭６３−５０１５１２号）、旭硝子（株）（特開昭６３−２７８０３５）及び、大日本インキ（株）（特開平０１−１９８７２５号）に於いては、重合性のモノマーあるいはオリゴマーあるいはそれらの混合物（以下プレポリマーと呼ぶ）に液晶を均一溶解し、それを片面透明電極付のガラスセルやプラスチックフィルムに挟んで、紫外線照射重合反応により、プレポリマーが光重合した三次元ポリマーネットワーク中に、液晶が相分離して分散する状態を得る、液晶調光表示素子、及び液晶調光表示素子作成法を提案している。【０００４】  前記のフィルム液晶素子の作成プロセスは、テクノタイムズ社  月刊ディスプレイ  ２００４年３月号（Ｐ２８）や工業調査会  月刊電子材料  ２００３年４月号（Ｐ２８−３２）に記載されており、すでに、公知である。【０００５】  三次元化した高分子に液晶が分散した調光層の両面に、透明電極層が矜持接触した、一対の透明電極間に、交流電源から駆動電圧を印加すると、調光層内の液晶が応答して、フィルムパネルの光透過率が変化する、液晶調光フィルムは、瞬間調光シートや機能性液晶フィルムなどの製品名で、機能や構造が紹介され、主に、インテリア分野向けに製造販売されている。（例えば、非特許文献１参照）【０００６】  また、横長や縦長の短冊形に分割された、透明な分割電極を用いて、必要に応じて、ガラス板状の液晶フィルムに、光を部分的に透過制御する、スマート型電子カーテンや、電子ブラインドも考案されている。（例えば、特許文献１及び特許文献２参照）
【先行技術文献】
【特許文献】
【０００７】
【特許文献１】特開２００７−３０９０４９号「電子ブラインド並びに電子ブラインド製造方法」
【特許文献２】実登３１８８３７６「電子ロールカーテン」
【非特許文献】
【０００８】
【非特許文献１】「週刊インテリアタイムス」インテリアタイムス社  ２００８年９月３日号Ｐ−２
【発明の概要】
【発明が解決しようとする課題】
【０００９】  以上に述べた液晶調光フィルムは、スクリーンを垂下展開すれば、スクリーンの透明から白濁不透明まで、光透過を自由に制御できるが、窓などの開口部ガラスに貼り付けて使用する場合、消費者が美観を損なわず、フィルムを切り取りカットして、きれいにフィルムを貼り付けるのは、たいへん難しい。【００１０】  調光フィルムをガラスに挟んだタイプの調光ガラスも、建造物の窓や会議室の仕切り等の使用に販売されており、美観を損なわないが、窓ガラス建材として、専門業者の施工が必要であり、部材及び施工のコストが非常に高くつくので、気軽に一般家庭が購入できるものではない。【００１１】  さらに、前記の調光フィルム及び調光ガラスは、電源コントローラへの配線コードが固定されるので、開閉式の窓やガラスドアに取りつけた場合、これら窓やドアは開閉ができない。【００１２】また、調光フィルム自体の最大光透過率が８５％程度までであり、スクリーンを垂下展開した状態では、窓開口部からの外光を最大限に取り入れられない。
【課題を解決するための手段】
【００１３】  上記課題を解決するために、本発明は、従来のスクリーンを垂下展開、上側へ収納自在な機能と、従来の液晶調光フィルムの機能を合わせた、電子ロールスクリーンである。【００１４】  前記スクリーンは、スクリーン上端の一対の透明電極から、電極取り出し配線が内付けされ、配線の左右両末端にコネクターが取り付けられる。左右一方のコネクターは、外付け電源・コントローラから出るコネクターと容易に接続されて、電圧駆動すれば、スクリーンの光透過が制御される。【００１５】  前記ロールスクリーンには、スクリーンの電極からコネクター間の配線コードに、ロータリージョイントが取り付けられ、スクリーンの巻き上げ・垂下時の、ロールパイプの回転による、配線コードのねじれを防ぐ。【００１６】  前記ロールスクリーンは、スクリーン上部の電極、配線、コネクターなどの装置部品一式は、ロールパイプ内に収納できるので、フレームに専用の治具を取り付けることにより、屋内の窓などの開口部に対して、天井付け、正面付け及びカーテンレール取り付けが可能になる。従って、スクリーンの垂下及び巻き上げ方法は、すだれ方式でも、従来のプルコード式、チェーン式などどれでも良い。【００１７】  前記ロールスクリーンのコネクターは、ロールパイプ内の左右両端に配置され、電源・コントローラからのコネクターと、接続が容易になるよう、配線コードを長めにロールパイプに収納される。【００１８】  前記ロールスクリーンは、スクリーンの巻き上げ・垂下展開を容易にするため、従来のロールスクリーンの生地のような、しなやかな軟性材質の透明電極付フィルムが好ましい。
【発明の効果】
【００１９】  上述したように、本発明の電子ロールスクリーンは、従来のロールスクリーンの機能と、従来の液晶調光フィルムの機能を合わせたものである。【００２０】  本発明の電子ロールスクリーンは、液晶調光フィルムの機能の器具一式を、ロールパイプ内に収納できるので、従来のロールスクリーンと同様に、インテリア部品として取り付け及び取り扱いできるので、専門業者による施工が必要なく、低コストが安く、一般家庭が容易に導入できる。【００２１】  さらに、前記ロールスクリーンは、壁や天井及びカーテンレールなどに取り付け・取り外しが容易である。【００２２】  本発明の電子ロールスクリーンは、ロールパイプ内の配線コードに、ロータリージョイントが接続しているので、配線コードが外付けの電源・コントローラと繋がった状態でも、ロールパイプを回転して、容易に、スクリーンの巻き上げ・垂下展開が可能である。【００２３】  本発明の電子ロールスクリーンは、ロールパイプ内の左右に二個のコネクターが取り付けられるので、一方は外付けの電源・コントローラに、左右もう一方のコネクターは、別の前記電子ロールスクリーンのコネクターに接続すれば、複数の電子ロールスクリーンが連結できて、一基の電源・コントローラで、同時駆動が可能である。
【図面の簡単な説明】
【００２４】
【図１】本発明の電子ロールスクリーンの基本構造であり、（ａ）断面図、（ｂ）平面図である。
【図２】本発明の電子ロールスクリーン上部の断面図である。
【図３】本発明の電子ロールスクリーンの斜視図であり、（ａ）スクリーンを巻き上げ収納した図、（ｂ）（ｃ）は、スクリーンを垂下展開して、外付け電源・コントローラに接続した図である。
【図４】本発明の電子ロールスクリーンを、二基、連結した斜視図である。
【発明を解決するための形態】
【００２５】  以下、本発明の実施の形態を、図１〜図４に基づいて説明する。
【００２６】  図１（ａ）は、電子ロールスクリーン装置の基本構造の断面図である。１Ｂは、第二の透明基板フィルム２と、三次元化した高分子相内に液晶が分散した調光層３を部分的に切り取り、第一の透明基板フィルム１の透明電極層１Ａに、導電ペーストを用いて、銅板を接着した銅板電極である。同様に、２Ｂは、第二の透明基板フィルムの透明電極層２Ａに、銅板が接着された銅板電極である。（ｂ）は、（ａ）の平面図であり、銅板電極１Ｂ，２Ｂから外付け電源・コントローラ４に配線接続すれば、駆動電圧をコントロールすることにより、スクリーン５は白濁不透明になったり、透明になったりする。
【００２７】  図２は、本発明の電子ロールスクリーンの、ロールパイプ６内の内装平面図である。
各配線部品がロールパイプ６に収納されており、銅板電極１Ｂ，２Ｂから出る配線コードの両末端にコネクター７が取り付けられる。さらに、銅板電極１Ｂ，２Ｂとコネクター７間の配線コードには、ロータリージョイント８が接続される。
【００２８】  図３（ａ）は、本発明の電子ロールスクリーンのスクリーン５を巻き上げ収納して、壁に貼った写真ポスター１０の上に取り付けた図である。配線コード９やコネクター７などの装置部品は、ロールパイプ６内に収納されるので、フレーム１０に従来のロールスクリーン同様の専用器具を用いれば、従来のロールスクリーンと同様に取り付けは容易である。
【００２９】  図３（ｂ）（ｃ）は、本発明の電子ロールスクリーンのロールパイプ６からコネクター７を取り出して、電源・コントローラ４からのコネクター１２と接続し、ウェイトバー１３用いてスクリーン５を垂下展開した図である。外付け電源・コントローラから駆動電圧をコントロールすることにより、（ｂ）のスクリーンは、白濁不透明であり、背面の写真ポスター１１は見えない。（ｃ）のスクリーン５は透明になり、背面の写真ポスター１１がはっきり見える。
【００３０】  図３の（ｂ）、（ｃ）において、外付け電源・コントローラ４と配線が接続固定されていても、スクリーン５を巻き上げ、さらに垂下展開する場合、ロールパイプ６を回転するが、図２に示すロータリージョイント８の働きで、ロールパイプ内の配線コード９のねじれを防止する。
【００３１】  図４は、二基の本発明の電子ロールスクリーンを連結して、一基の電源・コントローラを用いて、スクリーン５を透明にした、同時駆動の図である。
【００３２】  図２に示すように、ロールパイプ６内には左右二個のコネクター７があり、一方のコネクター７は、外付け電源・コントローラ４のコネクター１２と接続、もう一方の連結用コネクター７は、もう一基の電子ロールスクリーンのコネクター７と接続されることにより、二基の電子ロールスクリーンを、一基の外付け電源・コントローラ４で、同時駆動ができる。
【符号の説明】
【００３３】  １  第一の透明基板フィルム
１Ａ  第一の透明基板フィルムの透明電極膜層
１Ｂ  銅板電極（第一の透明基板フィルムの透明電極膜層１Ａに貼り付け）
１Ｃ  銅板電極１Ｂから電源・コントローラまでの配線
２  第二の透明基板フィルム
２Ａ  第二の透明基板フィルムの透明電極膜層
２Ｂ  銅板電極（第二の透明基板フィルムの透明電極膜層２Ａに貼り付け）
２Ｃ  銅板電極２Ｂから電源・コントローラまでの配線
３  調光層（高分子・液晶複合材料層）
４  外付け電源・コントローラ
５  スクリーン
６  ロールパイプ
７  コネクター
８  ロータリージョイント
９  配線コード
１０  フレーム
１１  ポスター写真
１２  外付け電源・コントローラからのコネクター
１３  ウェイトバー
【図１】
2018159256.tif 000003
【図２】
2018159256.tif 000004
【図３】
2018159256.tif 000005
【図４】
2018159256.tif 000006
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
透明電極を内側に備えた一対の透明基板フィルムに、高分子相内に液晶が分散した調光層が挟まれ、電圧駆動して光の透過率を制御できる機能を備えた液晶フィルムからなるスクリーンを備え、前記スクリーンのロールパイプ内の電極からコネクターの間の配線コードに、ロータリージョイントが接続され、スクリーンの垂下展開及び巻き上げ時に、配線コードがねじれるのを防止し、垂下及び巻き上げ収納が容易な電子ロールスクリーン。
【請求項２】
前記スクリーンのロールパイプ内に、連結用コネクターが取り付けられ、それを用いて、数基のロールスクリーンを並列連結して、同時に駆動可能な、請求項１に記載の電子ロールスクリーン。
【請求項３】
前記スクリーンの垂下展開及び巻き上げ方法は、プルコード式、チェーン式または、すだれ方式である、請求項１または２に記載の電子ロールスクリーン。